(57)【要約】      （修正有）【解決手段】ショーツ１の後身側にベルト通し３を形成する。そして、このベルト通し３の左右開口部のいずれか一方から所定幅のベルト２を差し込んで他方の開口部から露出させ、このベルト２のうち少なくとも前記ベルト通し３から露出している部分の外面全体を面ファスナーの雌部材４とし、一方、この雌部材４と対面するベルト２の内面のうちその一部を、面ファスナーの雄部材５とするメッシュケースの提供。【効果】ショーツ１の後身側においてショーツ１とベルト２とが一体になっているので、着用者の体型にフィットする。背中側の腰骨を所定幅のベルト２で締め付けることができ、少なくとも腰痛の防止、骨盤の矯正に役立つ。着脱が簡単であるのみならず、着用者の体に合わせて締め付け強度を自由に調整できる。【選択図】図３
0003112252.tif 000002
【実用新案登録請求の範囲】
【請求項１】
２枚の表地を有し、両表地のつなぎ合わせ部分にファスナーを取り付け、その部分を開閉可能としたケースであって、前記表地の素材をメッシュとし、メッシュからなる２枚の表地間に位置する中仕切の少なくとも片面に、小物を収納することができるポケットを備えたことを特徴とするメッシュケース。
【請求項２】
ポケットとして、筆記具を保持するための円筒状のポケット、携帯電話、カード、定期入れ、その他の小物を保持するための方形状のポケットを少なくとも有することを特徴とする請求項１記載のメッシュケース。
【請求項３】
メッシュケースを携行するための持ち手を有することを特徴とする請求項１又は２記載のメッシュケース。
【考案の詳細な説明】
【技術分野】
【０００１】
本考案は、メッシュ素材からなるケースであって、例えば、筆記具、消しゴムその他の文具、携帯電話、カード、定期入れ、その他の小物を入れて携行するのに特に便ならしめたものに関する。
【背景技術】
【０００２】
各種の書類、書籍などの主要な収納物や、筆記具、消しゴムその他の文具、携帯電話、カード、定期入れ、その他の方形状の小物を入れて携行するケースとして、様々なものが提案されている（例えば、特許文献１、２参照）。
【０００３】
【特許文献１】登録実用新案第３０３１４９４号公報
【０００４】
【特許文献２】登録実用新案第３０８６２１７号公報
【０００５】
これらのケースには様々な物を入れることができるが、通常、引用文献１、２の場合には、ケース内は大きな収納空間になっているので、筆記具、消しゴムその他の文具、携帯電話、カード、定期入れ、その他の小物が内部で混在し、機能的に収納しにくく、また、取り出しにくかった。
【考案の開示】
【考案が解決しようとする課題】
【０００６】
従来から存在するケースはこのようなタイプのものがほとんどである。ただし、引用文献２の場合には、ケースの外面に設けられているポケットに様々な物を乱れること無く入れることができるので、その点では利便性が向上している。
【０００７】
そこで、機能的に収納できるという利便性をそのまま維持しながら、他のケースと差別化できるものを提案できないか、鋭意検討した。その結果、２枚の表地の素材をメッシュとするとともに、メッシュからなる２枚の表地間に位置する中仕切の少なくとも片面に、小物を収納することができるポケットを備えることで、他のケースと差別化できることを見出した。
【課題を解決するための手段】
【０００８】
すなわち、本考案では、２枚の表地を有し、両表地のつなぎ合わせ部分にファスナーを取り付け、その部分を開閉可能としたケースにおいて、前記表地の素材をメッシュとし、メッシュからなる２枚の表地間に位置する中仕切の少なくとも片面に、小物を収納することができるポケットを備えたものである。
このケースによれば、本来の収納スペースに主要な収納物を収納することができるのみならず、中仕切のポケットに小物を収納することができる。
また、このケースによれば、表地の素材がメッシュであるから、ケース内に収納されている物が外側から分かりやすい。さらに、ケースへの収納時・持ち運びの際、ケース内に位置する多機能ポケットから中身が外へ飛び出ない。
【０００９】
ポケットとして、筆記具を保持するための円筒状のポケット、携帯電話、カード、定期入れ、その他の小物を保持するための方形状のポケットを少なくとも有することが好ましい。この場合には、本来の収納スペースに主要な収納物を収納することができるのみならず、円筒状のポケットに筆記具を、方形状のポケットに携帯電話、カード、定期入れ、その他の小物を収納することができるので、ケースとしての利便性をさらに向上させることができる。
【００１０】
メッシュケースを携行するための持ち手を有することが好ましい。この持ち手を持てば持ち運びやすいから、ケースとしての利便性をさらに向上させることができる。
【考案を実施するための最良の形態】
【００１１】
本考案に係るメッシュケースについて、図面を参照しながら詳細に説明する。図１に、Ａ４サイズの横型メッシュケースの一例を、図２に、Ａ４サイズの縦型メッシュケースの一例を、図３に、Ａ６サイズの横型メッシュケースの一例を示す。いずれのメッシュケースも２枚の表地１を有し、両表地１，１のつなぎ合わせ部分にファスナー２を取り付け、その部分を開閉可能としたものである。なお、図面符号３はファスナー２の引手である。
【００１２】
いずれのメッシュケースにおいても、その表地１はメッシュ素材からなっており、メッシュからなる２枚の表地１，１間に位置する中仕切４の少なくとも片面に、小物を収納することができるポケットが備えられている。メッシュの網目から内側の中仕切４と、その少なくとも片面に備えられているポケットを見ることができる。ここには、中仕切４の片面に小物を収納することができるポケットを備えた場合を例示するが、他方の面（図面の裏面）にもポケットが備えられていてもよい。
【００１３】
ポケットの例としては、例えば、筆記具を保持するための円筒状のポケット５や、携帯電話、カード、定期入れ、その他の小物を保持するための方形状のポケット６を挙げることができ、それらを少なくとも備えたものであればよい。
この場合においては、本来の収納スペースに主要な収納物を収納することができるのみならず、円筒状のポケット５に筆記具を、方形状のポケット６に携帯電話、カード、定期入れ、その他の小物を収納することができるので、ケースとしての利便性をさらに向上させることができる。
【００１４】
円筒状のポケット５や方形状のポケット６の配置状態は、図１〜図３に示すように、それぞれ自由に異ならしめることができる。
また、上で例示した小物以外の物品を保持するためのポケットを、合わせ持つようにしておいてもよい。
【００１５】
また、図１〜図３に示すメッシュケースには、それぞれを携行するための持ち手７がいずれも設けられている。この持ち手７を持てば持ち運びやすいから、ケースとしての利便性をさらに向上させることができる。
【００１６】
図１〜図３に示す場合とは異なって、図４に示すように、筆記具を保持するための円筒状のポケット５のみを中仕切４の片面に備えたものとしてもよい。この場合には、持ち手のないポーチ型にすることができる。円筒状のポケット５に筆記具を収納することができるのは、上に例示した場合と同じである。また、本来の収納スペースを有するのも上に例示した場合と同じであり、そこに主要な収納物を収納することができる。
【００１７】
ファスナー２の始点位置と終点位置、および、ファスナー２の形態（すなわち、引手３の数を１つにするか、２つにするか）は、自由に設定・選定することができる。
例えば、図１、図３には、ファスナー２がケースの左辺中央付近から始まり、上辺を経てそれと対向する位置である右辺中央付近で終わるように取り付けられており、しかも、その引手３の数を２つとした場合が例示されている。
【００１８】
この場合には、２つある引手３，３のうち先にスライドさせ得る引手３を前記始点から終点までスライドさせれば、ケースを最も大きく開口することができる。開口後、スライドさせた引手３を元の位置まで（始点まで）スライドさせれば、あるいは、後にスライドさせ得る引手３を前記始点から終点までスライドさせれば、あるいは、先にスライドさせた引手３を前記始点から終点間の途中までスライドさせるとともに、この引手３に衝突するまで後にスライドさせ得る引手３をスライドさせると、開口したケースをいずれも閉じることができる。
【００１９】
一方、図２には、ファスナー２がケースの左辺上隅近くから始まり、上辺、右辺を経てそれと対称的な位置である下辺下隅近くで終わるように取り付けられており、しかも、その引手３の数を１つとした場合が例示されている。
この場合には、下辺下隅近くの終点まで引手３を移動させることにより、ケースを最も大きく開口することができる。開口後、終点から引手３を元の位置まで（始点まで）スライドさせると、ケースを閉じることができる。
【００２０】
このように、１つあるいは２つの引手３を操作してファスナー２を開け閉めすることにより、ケース本来の収納スペースに主要な収納物を収納するとともに、円筒状のポケット５に筆記具を、方形状のポケット６に携帯電話、カード、定期入れ、その他の小物を収納することができる。
図１(b)、図２(b)、図３(b)に、ファスナー２を大きく開けた状態を示す。このように大きく開口した状態で、ケース本来の収納スペースに主要な収納物を収納するとともに、円筒状のポケット５に筆記具を、方形状のポケット６に携帯電話、カード、定期入れ、その他の小物を収納すれば、それらを収納しやすい。
【００２１】
図１〜図３に示すように、方形状のメッシュケースの左下コーナー部分に三角形状の当て布８を取り付けておき、筆記具や小物を収納した状態を写真に載せ、合わせて、その説明を付記した直角三角形状の台紙９の直角状コーナー部分を、図５に示すように、前記当て布８の中に差し込むことができるようにしておくと、店頭での販売時にもそれが目を引き、かつ、使い方をアピールできるので、分かりやすい。この場合において、台紙９の残り２つのコーナー部分を、Ｈ型のピン（図示しない）で縫い付けておけば、台紙９がメッシュケースから外れない。
【００２２】
図面には示さないが、ここに示す場合にあっては、持ち手７やメッシュケースのその他の一部に抗菌・消臭性能を有する生地が使用されている。この生地を使用することによって、メッシュケースの使用者も抗菌・消臭の効能を享受できる。例えば、持ち手７やメッシュケースのその他の一部に酸化チタン系物質を含有した光触媒コーティング生地を使用すれば、太陽光・蛍光灯下で光を当てることによって化学反応が発生、促進され、消臭・抗菌等の効能を併せ持つものとすることができる。
【００２３】
なお、図５において、図面符号１０は吊り下げ用のフックで、それを利用すればメッシュケースを吊り下げた状態で店頭に飾ることができる。
【図面の簡単な説明】
【００２４】
【図１】本考案をＡ４サイズの横型に適用した場合の一例を示す正面図で、(a)はファスナーを閉じた状態を、(b)はファスナーを大きく開けた状態を示す。
【図２】本考案をＡ４サイズの縦型に適用した場合の一例を示す正面図で、(a)はファスナーを閉じた状態を、(b)はファスナーを大きく開けた状態を示す。
【図３】本考案をＡ６サイズの横型に適用した場合の一例を示す正面図で、(a)はファスナーを閉じた状態を、(b)はファスナーを大きく開けた状態を示す。
【図４】本考案を持ち手のないポーチ型に適用した場合の一例を示す正面図で、ファスナーを閉じた状態を示す。
【図５】店頭での販売時の一例を説明するための正面図である。
【符号の説明】
【００２５】
１…表地、２…ファスナー、３…引手、４…中仕切、５，６…ポケット、７…持ち手、８…当て布、９…台紙、１０…フック。
【図１】
0003112252.tif 000003
【図２】
0003112252.tif 000004
【図３】
0003112252.tif 000005
【図４】
0003112252.tif 000006
【図５】
0003112252.tif 000007